(57)【要約】 【課題】品質等を表示する表示ラベルの縫着された衣類を使用時にそのラベルの肌への違和感やチクチク感等の不快感を解消するため、容易に取り外しが可能となる衣類用の表示ラベルの構造とその取り付け方法を提供する。【解決手段】衣類用の表示ラベルにおいて、平織りの表示領域部と衣類に縫着する縫い合せ部から構成し、前記縫い合せ部は、縦糸または横糸のみからなる一方向糸部と縦糸と横糸を有する平織りの補助布部とからなり、この一方向糸部を表示領域部に隣接させる事で、縫着された該ラベルは表示領域部を引っ張るだけで容易に取り外しが可能となる。【選択図】  図１
2011095353.tif 000002
【特許請求の範囲】
【請求項１】
衣類に縫着する品質等を表示する織布製の表示ラベルにおいて、平織りの表示領域部と衣類に縫着する縫い合せ部とから構成し、前記縫い合せ部は縦糸または横糸のみからなる一方向糸部と、この一方向糸部に隣り合った平織りの補助布部とからなり、この一方向糸部を表示領域部に隣接させたことを特徴とする衣類用表示ラベル。
【請求項２】
請求項１の表示ラベルを、衣類にオーバーロックミシンで縫いつける際に、一方向糸部を同時に縫着する表示ラベルの取り付け方法。
【発明の詳細な説明】
【技術分野】
【０００１】
本発明は、衣類に縫着されている表示ラベルの改良に関するものである。          
【背景技術】
【０００２】
衣類に縫着されている品質等を表示する表示ラベルは、子供や高齢者、特にアトピー性皮膚炎など皮膚疾患を持つ敏感肌の使用者には、ラベルが擦れることでチクチク感を強く感じて、その不快感から無意識に掻いたりすることで、皮膚に炎症をおこすことがあり、このために更に掻くという悪循環を繰り返すことが多かった。
【０００３】
一般に既成衣類の大部分は、オーバーロックミシンによる衣類の縁かがり縫い時に表示ラベルが衣類に同時縫着されている。
【０００４】
このような表示ラベルを縫い込み部分に沿ってハサミで切断しても、縁かがり縫いされたラベルの端に部分までは取り除くことが出来なかった。この縁かがり縫い部分に残されたラベルのラベル切断面が肌に当たることで、却って肌へのチクチク感や不快感を増すことがあった。
【０００５】
表示ラベルを縫込み部分から全て取り外してしまうにはハサミで縁かがり縫いの糸を切り解く必要がある。しかし、この作業は非常に手間がかかる。また高齢者など視力が弱く手元が見えにくい者にとっては、糸を切る時に糸が見えづらく、このために糸とともに、あるいは糸ではなく衣類の布地を切ってしまうことがある。また糸を切り、取り外すことにより衣類の縁かがり縫い部分に数ｃｍの開きが生じる。このためその開いた縁かがり縫い部分縫い繕う作業を必要とし、手間がかかる上、見栄えも悪いことになっていた。
【先行技術文献】
【特許文献】
【０００６】
【特許文献１】特開２００７−１５５９２２公報
【特許文献２】特開平１１−２００１７３公報
【特許文献３】特開２０００−９６４２５公報
【特許文献４】特開２００８−２７６０４９公報
【発明の概要】
【発明が解決しようとする課題】
【０００７】
本発明は、品質等を表示する表示ラベルの縫着された衣類を使用時に、そのラベルの肌への違和感やチクチク感等の不快感を解消することを目的とした、衣類用の織布製の表示ラベルとその取り付け方法を提供するものである。
【課題を解決するための手段】
【０００８】
本発明は、衣類に縫着する品質等を表示する織布製の表示ラベルにおいて、平織りの表示領域部と衣類に縫着する縫い合せ部とから構成し、縫い合せ部は縫い込まれる縦糸または横糸のみからなる一方向糸部と、この一方向糸部に隣り合って端縁部をなす平織りの補助布部とからなる衣類用の表示ラベルである。
【発明の効果】
【０００９】
既製衣類の多くが、オーバーロックミシンによる縁かがり縫いにより衣類と表示ラベルは同時縫着されている。このラベルが使用者の肌への違和感やチクチク感等の不快感となっている。ハサミで該ラベルを切断しても縁かがり縫いの側に残った切断面が却って肌を刺激しチクチク感を増す。本発明は、この不快感を解消する為に表示ラベル１を表示領域部２と衣類に縫着する縫い合せ部３とから構成し、前記縫い合せ部は横糸のみの一方向糸部３１と縦糸と横糸を有する補助布部３２とからなり、一方向糸部を表示領域部に隣接させる。この一方向糸部を衣類脇縫着部位５１（図３参照）に縁かがり縫い３３にて縫着する。この縫着時にオーバーロックミシンの持つ機能により、衣類の端布５２と補助布部３２の余剰部分は同時に切り落とされる。補助布部が切り落とされたことにより、表示領域部をつまんで縁かがり縫い部分より抜き取るように引っ張るだけで、一方向糸部の形状により取り外しが容易になる（図４参照）。表示ラベルが取り外せたことにより、違和感やチクチク感等の不快感がなくなり、掻き傷などの炎症もなくなる。
【００１０】
高齢者や視力の弱い者でも縫着したラベルの糸を切る必要がなくなり、間違えて衣類の布地を切ってしまうこともない。このことから高齢者や子供でも取り外しが容易である。
【００１１】
同時縫着した衣類と表示ラベルは縫着時に補助布部が切り落とされたことにより、ラベルを引っ張るだけで一方向糸部が縁かがり縫いより抜き取れて（図４参照）、糸を切らずにラベルを取り外すことが可能となる。縁かがり縫いの糸を切らないため衣類その物の縁かがりは開かず、繕う手間がかからない。
【図面の簡単な説明】
【００１２】
【図１】実施例１を示し、衣類脇部位の表示ラベルを示す平面図である。
【図２】図１の表示ラベルを二つ折りにした概略平面図である。
【図３】図２の二つ折りにした表示ラベルを衣類に縫着した平面図である。
【図４】図３ の表示ラベルを縁かがり縫いより引き抜いた平面図である。
【図５】実施例２を示し、衣類首後ろ部位の表示ラベルを示す平面図である。
【図６】図５を折り線９から折り返した概略平面図である。
【図７】衣類に縫着する前の図５に示す表示ラベルの平面図である。
【図８】図７の表示ラベルの縫い合せ部８を引き抜いた平面図である。
【図９】実施例１と実施例２の表示ラベルを衣類に縫着する位置を示す衣類の正面図である。
【発明を実施するための形態】
【００１３】
実施例１を図１から図４に基づいて以下説明する。
衣類脇部位に取り付ける織布製の表示ラベル１は、平織りの表示領域部２とその表示領域部の両側に設けた縫い合せ部３とからなる。表示領域部２には表示ラベル１を縫着する衣類の品質（綿１００％、絹１００％など）やサイズ、洗濯方法等の表示を現している。縫い合せ部３は、表示領域部２の両側に一体的に設けられている。そしてこの縫い合せ部３は横糸のみの一方向糸部３１と縦糸と横糸を有する平織りの補助布部３２とからなり該一方向糸部３１を表示領域部２の両側に隣接させる。
【００１４】
平織りの表示領域部２の横幅は６０ｍｍ〜１００ｍｍの長さ寸法にしてある。縫い合せ部３は横糸のみの一方向糸部３１を１０ｍｍ前後の幅に設け、表示領域部２に隣接させ更にその両側に縦糸と横糸を有する平織りの補助布部３２を５ｍｍ前後の幅に設ける。
【００１５】
表示ラベル１は縫着が衣類脇部位（図９参照）のため一端部の縫着となる。よって図２の通り表示ラベル１を折り線４の位置で二つ折りにし、縫い合せ部３を重ね、この重ね合せた一端部を縫着箇所とする。重なった縫い合せ部３の前面と裏面の夫々の一方向糸部３１及び補助布部３２はいずれも同じところに位置される。二つ折りにする事で品質表示やサイズ表示、洗濯表示などの表示は該ラベルの前面と裏面に表示される。
【００１６】
前記二つ折りの表示ラベル１の前面と裏面とを重ね合せた一方向糸部３１を図３の通り衣類脇縫着部位５１に縁かがり縫い３３で縫着する。この時、オーバーロックミシンの機能により、平織りの補助布部３２は衣類端布５２と同時に切り落とされる。
【００１７】
本発明の表示ラベルの縫着された衣類を使用時に肌への違和感やチクチク感等の不快感を生じた場合は、図４の通り二つ折りの表示領域部２をつまんで抜き取るように引っ張ると一方向糸部３１の形状により縁かがり縫い３３より容易に取り外すことが出来る。
【００１８】
実施例２を図５から図８に基づいて以下説明する。
衣類首後ろ部位に取り付ける表示ラベル６は、平織りの表示領域部７とこの表示領域部の両側に設けた縫い合せ部８とからなる。表示領域部７には表示ラベル６を縫着する衣類のメーカー名やサイズ等の表示を現している。縫い合せ部８は表示領域部７の両側に一体的に設けられている。そしてこの縫い合せ部８は横糸のみの一方向糸部８１と縦糸と横糸を有する平織りの補助布部８２、続いて横糸のみの一方向糸部８３、更に続けて縦糸と横糸を有する平織りの補助布部８４とからなり、前記一方向糸部８１を表示領域部７の両側に隣接させる。
【００１９】
図５の通り平織りの表示領域部７の横幅を５０ｍｍ〜７０ｍｍの長さ寸法にして、その両側に隣接させて横糸のみの一方向糸部８１を５ｍｍ前後の幅で設けてある。この一方向糸部８１の両側に平織りの補助布部８２を１０ｍｍ前後の幅で設け、更にその両側に横糸のみの一方向糸部８３を５ｍｍ前後の幅に設ける（一方向糸部８１と一方向糸部８３は同じ幅にする）。更に続いてその両側に平織りの補助布部８４を５ｍｍ前後の幅に設ける。
【００２０】
前記表示ラベル６に記した折り線９の位置（図５、図６参照）で裏側に折り曲げ、前面の一方向糸部８１と裏面の一方向糸部８３を重ね合せて整える。この重ね合せ作業を表示ラベル６の左右において同様に行う。
【００２１】
図６で整えた表示ラベル６を図７の通り、重なった一方向糸部８１（８３）上を、縫い位置１０に従って衣類首後ろ部位（図９参照）に縫着する。
【００２２】
本発明の表示ラベルの縫着した衣類を使用時に肌への違和感やチクチク感等の不快感を生じた場合は、図７で示したラベル切り取り位置１１に従って、一方向糸部８１（８３）を切り、平織りの補助布部８２をつまんで右側に引っ張る（図８参照）と、一方向糸部８１（８３）の形状により容易に抜き取ることが出来る。ラベルの左端側においても同様に処理することでラベルを簡単に取り外すことができる。
【符号の説明】
【００２３】
１  衣類脇部位の表示ラベル
２、７  表示領域部
３、８  縫い合せ部
３１、８１、８３  横糸のみの一方向糸部
３２、８２、８４  補助布部
４、９  折り線
５  衣類
５１  衣類脇縫着部位
３３  縁かがり縫い
５２  衣類端布
６  衣類首後ろ部位の表示ラベル
１０  縫い位置
１１  ラベル切り取り位置
【図１】
2011095353.tif 000003
【図２】
2011095353.tif 000004
【図３】
2011095353.tif 000005
【図４】
2011095353.tif 000006
【図５】
2011095353.tif 000007
【図６】
2011095353.tif 000008
【図７】
2011095353.tif 000009
【図８】
2011095353.tif 000010
【図９】
2011095353.tif 000011
【手続補正書】
【提出日】平成23年2月8日(2011.2.8)
【手続補正１】
【補正対象書類名】特許請求の範囲
【補正対象項目名】全文
【補正方法】変更
【補正の内容】
【特許請求の範囲】
【請求項１】
衣類に縫着する品質等を表示する織布製の表示ラベルにおいて、平織りの表示領域部と衣類に縫着する縫い合せ部とから構成し、前記縫い合せ部は縦糸または横糸のみからなり縫い糸によって衣類に縫い付けられる一方向糸部と、平織りの補助布部とからなり、この一方向糸部はその一方に平織りの補助布部を、他方に前記表示領域部をそれぞれ隣接させていることを特徴とする衣類用表示ラベル。
【請求項２】
請求項１の表示ラベルを、衣類にオーバーロックミシンで縫いつける方法は、一方向糸部を縁かがり縫いにより縫着する表示ラベルの取り付け方法。
【請求項３】
請求項１の表示ラベルを、衣類に縫いつける方法は、一方向糸部をこれと直交する縫い糸で縫着する表示ラベルの取り付け方法。
【手続補正２】
【補正対象書類名】明細書
【補正対象項目名】全文
【補正方法】変更
【補正の内容】
【発明の詳細な説明】
【技術分野】
【０００１】本発明は、衣類に縫着されている表示ラベルの改良に関するものである。          
【背景技術】
【０００２】衣類に縫着されている品質等を表示する表示ラベルは、子供や高齢者、特にアトピー性皮膚炎など皮膚疾患を持つ敏感肌の使用者には、ラベルが擦れることでチクチク感を強く感じて、その不快感から無意識に掻いたりすることで、皮膚に炎症をおこすことがあり、このために更に掻くという悪循環を繰り返すことが多かった。【０００３】一般に既成衣類の大部分は、オーバーロックミシンによる衣類の縁かがり縫い時に表示ラベルが衣類に同時に縫着されている。【０００４】このようなラベルの縫着された衣類を着ると表示ラベルの端が皮膚に当たってチクチク感を感じることがある。このためラベルを取り除こうと縫い目のはしに沿ってハサミで切断しても、縁かがり縫いされたラベルのはしや縫い目の中に残された部分までは簡単に取り除くことが出来なかった。さらにこの縁かがり縫い部分に残されたラベルの切断面が肌に当たることで、却って肌へのチクチク感や不快感を増すことがあった。【０００５】表示ラベルを縁かがり縫い部分から全て取り外してしまうには、ハサミで縁かがり縫いの糸を切り解く必要がある。しかし、この作業は非常に手間がかかる。また高齢者など視力が弱く手元が見えにくい者にとっては、糸を切る時に糸が見えづらく、このために糸とともに、あるいは糸ではなく衣類の布地を切ってしまうことがある。また糸を切り、取り外すことにより衣類の縁かがり縫い部分に数ｃｍの開きが生じる。このためその開いた縁かがり縫い部分を縫い繕う作業を必要とし、手間がかかる上、見栄えも悪いことになっていた。
【先行技術文献】
【特許文献】
【０００６】
【特許文献１】特開２００７−１５５９２２公報
【特許文献２】特開平１１−２００１７３公報
【特許文献３】特開２０００−９６４２５公報
【特許文献４】特開２００８−２７６０４９公報
【発明の概要】
【発明が解決しようとする課題】
【０００７】本発明は、品質等を表示する表示ラベルの縫着された衣類を使用時に、そのラベルの肌への違和感やチクチク感等の不快感を解消することを目的とした、衣類用の織布製の表示ラベルとその取り付け方法を提供するものである。
【課題を解決するための手段】
【０００８】すなわち、本発明は衣類に縫着する品質等を表示する織布製の表示ラベルにおいて、平織りの表示領域部と衣類に縫着する縫い合せ部とから構成し、前記縫い合せ部は縦糸または横糸のみからなり縫い糸によって衣類に縫い付けられる一方向糸部と、平織りの補助布部とからなり、この一方向糸部はその一方に平織りの補助布部を、他方に前記表示領域部をそれぞれ隣接させていることを特徴とする衣類用表示ラベルである。また本発明はこの表示ラベルを衣類に縫い付ける方法を提供するものでもある。
【発明の効果】
【０００９】既製衣類の多くが、オーバーロックミシンによる縁かがり縫いによって衣類と表示ラベルとは縫着されている。このラベルが前記のように使用者の肌への違和感やチクチク感等の不快感となっている。ハサミでラベルのはしを切断しても縁かがり縫いの側に残った切断面が却って肌を刺激してチクチク感を増す。本発明は、この不快感を解消する為に表示ラベル１を、表示領域部２と衣類に縫着する縫い合せ部３とから構成し、前記縫い合せ部３は横糸のみの一方向糸部３１と縦糸と横糸を有する補助布部３２とからなり、この一方向糸部３１の他方端を表示領域部２に隣接させている。この縫い合せ部３を衣類内側の脇縫着部位５１に縁かがり縫い３３にて縫着する。この縫着時にオーバーロックミシンの持つ機能により、衣類の端布５２と補助布部３２は同時に衣類から切り落とされる。補助布部３２が切り落とされたことにより、表示領域部をつまんで縁かがり縫い部分より抜き取るように強めに引っ張ると、一方向糸部の糸と縁かがり縫い３３とがほぼ平行していることにより取り外しが容易になる。ラベルが取り外せたことにより、皮膚への違和感やチクチク感等といった不快感がなくなり、掻き傷などの炎症もなくなる。【００１０】さらに高齢者や視力の弱い者でも縫着したラベルの糸を切る必要がなくなり、間違えて衣類の布地を切ってしまうこともない。このことから高齢者や子供でもラベルの取り外しが容易である。【００１１】同時縫着した衣類と表示ラベルは、縫着時に補助布部が切り落とされたことにより、ラベルを引っ張るだけで一方向糸部が縁かがり縫い部分より容易に抜き取れて、糸を切らずにラベルを取り外すことが可能となる。また縁かがり縫いの糸を切らないため衣類その物の縁かがり縫いの糸目は開かず、繕う手間がかからない。
【図面の簡単な説明】
【００１２】
【図１】実施例１を示し、衣類脇部位の表示ラベルを示す平面図である。
【図２】図１の表示ラベルを二つ折りにした概略平面図である。
【図３】図２の二つ折りにした表示ラベルを衣類に縫着した平面図である。
【図４】図３ の表示ラベルを縁かがり縫いより引き抜いた平面図である。
【図５】実施例２を示し、衣類首後ろ部位の表示ラベルを示す平面図である。
【図６】図５を折り線９から折り返した概略平面図である。
【図７】衣類に縫着する前の図５に示す表示ラベルの平面図である。
【図８】図７の表示ラベルの縫い合せ部８を引き抜いた平面図である。
【図９】実施例１と実施例２の表示ラベルを衣類に縫着する位置を示す衣類の正面図である。
【発明を実施するための形態】
【００１３】実施例１を図１から図４に基づいて以下説明する。衣類内側の脇部位に取り付ける織布製の表示ラベル１は、左右に連続した二つの平織りの表示領域部２と、その表示領域部の左右両側に設けた縫い合せ部３とからなる（図１参照）。表示領域部２には表示ラベル１を縫着する衣類の品質（綿１００％、絹１００％など）やサイズ、洗濯方法等の表示を現している。縫い合せ部３は、表示領域部２の左右両側に一体的に設けられている。そしてこの縫い合せ部３は横糸のみの一方向糸部３１と縦糸と横糸を有する平織りの補助布部３２とからなり、図１に示したように一方向糸部３１の他方端を表示領域部２に-隣接させる。
【００１４】平織りの表示領域部２の横幅は６０ｍｍ〜１００ｍｍの長さ寸法にしてある。縫い合せ部３は横糸のみの一方向糸部３１を表示領域部２の縦幅と同じ幅とし、その糸の長さを１０ｍｍ前後として表示領域部２の左右両側に隣接させ、さらに一方向糸部３１の外側に縦糸と横糸からなる平織りの補助布部３２を表示領域部２の縦幅と同じ幅で、５ｍｍ前後の長さの横幅とした。（図１参照）
【００１５】表示ラベル１は、通常衣類内側の脇部位（図９参照）のため一端部の縫着となる。よって表示ラベル１を中央部の折り線４の位置で二つ折りに（図２参照）し、左右の縫い合せ部３を重ね、この重ね合せた一端部を縫着箇所とする。重なった縫い合せ部３の前面と裏面の夫々の一方向糸部３１及び補助布部３２はいずれも同じところに位置される。二つ折りにする事で品質表示やサイズ表示、洗濯表示などの表示はラベルの表面と裏面に表示される。
【００１６】前記二つ折りの表示ラベル１の表面と裏面とを重ね合せた一方向糸部３１を図３の通り衣類の脇縫着部位５１に縁かがり縫い３３で縫着する。この時、オーバーロックミシンの機能により、平織りの補助布部３２は衣類端布５２と同時に衣類から切り落とされる。
【００１７】本発明の表示ラベルの縫着された衣類を着用して肌への違和感やチクチク感等の不快感を生じた場合は、図４の通り二つ折りした表示領域部２をつまんで強めに抜き取るように引っ張ると一方向糸部３１が縁かがり縫い３３より容易に取り外すことが出来る。
【００１８】実施例２を図５から図８に基づいて以下説明する。衣類首後ろ部位に取り付ける表示ラベル６は、平織りの表示領域部７とこの表示領域部の両側に設けた縫い合せ部８とからなる。表示領域部７には表示ラベル６を縫着する衣類のメーカー名やサイズ等の表示を現している。縫い合せ部８は表示領域部７の左右両側に一体的に設けられている。そしてこの縫い合せ部８は横糸のみの一方向糸部８１と縦糸と横糸を有する平織りの補助布部８２、続いて横糸のみの一方向糸部８３、更に続けて縦糸と横糸を有する平織りの補助布部８４とからなり、図５に示したように前記一方向糸部８１を表示領域部７に左右に隣接させる。
【００１９】図５の通り平織りの表示領域部７の横幅を５０ｍｍ〜７０ｍｍの長さ寸法にして、この表示領域部７の左右両側に設けた縫い合せ部８は、横糸のみの一方向糸部８１を５ｍｍ前後の幅とし表示領域部７に隣接させる。この一方向糸部８１の外側に平織りの補助布部８２を１０ｍｍ前後の横幅で設け、さらにその外側に横糸のみの一方向糸部８３を５ｍｍ前後の横幅に設ける（一方向糸部８１と一方向糸部８３は同じ幅にする）。さらに続いてその外側に平織りの補助布部８４を５ｍｍ前後の横幅で設けた。
【００２０】前記表示ラベル６の端がほつれたりしないように補助布部８２を折り線９の位置（図５、図６参照）で裏側に折り曲げ、表面の一方向糸部８１と裏面の一方向糸部８３を同じところに位置するように重ね合せて整える。この時、平織りの補助布部８４は表示領域部７の裏側に位置する。この重ね合せ作業を表示ラベル６の左右において同様に行う。
【００２１】図６で整えた表示ラベル６を図７の通り、重なった一方向糸部８１（８３）上を、縫い糸でこれに直交するように縫い位置１０に従って衣類首後ろ部位（図９参照）に縫着する。
【００２２】本発明の表示ラベルの縫着した衣類を着用した際、肌への違和感やチクチク感等の不快感を生じた場合は、図７で示したラベル切り取り位置１１に従って、一方向糸部８１（８３）を切り、平織りの補助布部８２をつまんで外側に引っ張る（図８参照）と、一方向糸部８１（８３）は容易に縫い付け部分から抜き取ることが出来る。ラベルの左右において同様に処理することでラベルを簡単に取り外すことができる。
【符号の説明】
【００２３】１  衣類脇部位の表示ラベル２、７  表示領域部３、８  縫い合せ部３１、８１、８３  横糸のみの一方向糸部３２、８２、８４  補助布部４、９  折り線５  衣類５１  衣類脇縫着部位３３  縁かがり縫い５２  衣類端布６  衣類首後ろ部位の表示ラベル１０  縫い位置１１  ラベル切り取り位置